【手続補正書】
【提出日】平成21年8月28日(2009.8.28)
【手続補正１】
【補正対象書類名】明細書
【補正対象項目名】特許請求の範囲
【補正方法】変更
【補正の内容】
【特許請求の範囲】
【請求項１】物体側より順に、正の屈折力の第１群、負の屈折力の第２群、正の屈折力の第３群、正の屈折力の第４群より構成され、前記第２群を像面側へ移動させて広角端から望遠端への変倍を行い、変倍に伴う像面変動を前記第４群を移動させて補正するズームレンズであって、広角端及び望遠端における第２群の結像倍率をβ２ｗ、β２Ｔとするとき、
５．９ ＜ ｜β２Ｔ｜ ＜ １０．０
０．１ ＜ ｜β２ｗ｜ ＜ ０．２２
２７ ＜ ｜β２Ｔ／β２ｗ｜ ＜ ３５
の条件式のうちの１つ以上を満足することを特徴とするズームレンズ。
【請求項２】前記第２群は、３枚以上の負レンズと、１枚以上の正レンズを有していることを特徴とする請求項１に記載のズームレンズ。
【請求項３】前記第２群は、３枚の負レンズと、１枚の正レンズの４つの単レンズより成っていることを特徴とする請求項１又は２に記載のズームレンズ。
【請求項４】前記第２群は、１以上の接合レンズを有することを特徴とする請求項１又は２に記載のズームレンズ。
【請求項５】前記第３群は両面が非球面の正レンズを１枚以上有することを特徴とする請求項１から４のいずれか１項に記載のズームレンズ。
【請求項６】広角端及び望遠端における全系の焦点距離をそれぞれｆｗ，ｆｔ、前記第ｉ群の焦点距離をｆｉとするとき、
０．１ ＜ ｜ｆ２／ｆＡ｜ ＜ ０．２６
ただし、
【数１】
2002182109.tif 000001
なる条件式を満足することを特徴とする請求項１から５のいずれか１項に記載のズームレンズ。
【請求項７】
広角端及び望遠端における全系の焦点距離をそれぞれｆｗ，ｆｔ、前記第ｉ群の焦点距離をｆｉとするとき、
１．７２ ＜ ｆ１／ｆＡ ＜ １．７７
ただし、
【数２】
2002182109.tif 000002
なる条件式を満足することを特徴とする請求項１から６のいずれか１項に記載のズームレンズ。
【請求項８】
広角端及び望遠端における全系の焦点距離をそれぞれｆｗ，ｆｔ、前記第ｉ群の焦点距離をｆｉとするとき、
０．９ ＜ ｆ３／ｆＡ ＜ １．３
ただし、
【数３】
2002182109.tif 000003
なる条件式を満足することを特徴とする請求項１から７のいずれか１項に記載のズームレンズ。
【請求項９】前記第３群の全体または一部のレンズを光軸方向に略垂直に移動させて、被写体像の像面移動を補正することを特徴とする請求項１から８いずれか１項に記載のズームレンズ。
【請求項１０】前記第２群は、物体側より順に像面側に凹面を向けたメニスカス状の負レンズ、両レンズ面が凹面の負レンズ、両レンズ面が凸面の正レンズ、両レンズ面が凹面の負レンズの４つの単レンズより成ることを特徴とする請求項１のズームレンズ。
【請求項１１】第３群は、物体側より順に両レンズ面が凸面の正レンズと物体側に凸面を向けたメニスカス状の負レンズより構成し、該正レンズの両レンズ面は非球面であり、該非球面のうち、少なくとも１つはレンズ中心からレンズ周辺にいくに従って正の屈折力が弱くなる形状より成ることを特徴とする請求項１０のズームレンズ。
【請求項１２】請求項１から１１いずれか１項に記載のズームレンズを有することを特徴とする光学機器。
【手続補正２】
【補正対象書類名】明細書
【補正対象項目名】００２０
【補正方法】変更
【補正の内容】
【００２０】
【課題を解決するための手段】
請求項１の発明のズームレンズは、物体側より順に、正の屈折力の第１群、負の屈折力の第２群、正の屈折力の第３群、正の屈折力の第４群より構成され、前記第２群を像面側へ移動させて広角端から望遠端への変倍を行い、変倍に伴う像面変動を前記第４群を移動させて補正するズームレンズであって、広角端及び望遠端における第２群の結像倍率をβ２ｗ、β２Ｔとするとき、
５．９ ＜ ｜β２Ｔ｜ ＜ １０．０
０．１ ＜ ｜β２ｗ｜ ＜ ０．２２
２７ ＜ ｜β２Ｔ／β２ｗ｜ ＜ ３５
の条件式のうちの１つ以上を満足することを特徴としている。
【手続補正３】
【補正対象書類名】明細書
【補正対象項目名】００２１
【補正方法】変更
【補正の内容】
【００２１】
請求項２の発明は請求項１又は２の発明において、前記第２群は、３枚以上の負レンズと、１枚以上の正レンズを有していることを特徴としている。
【手続補正４】
【補正対象書類名】明細書
【補正対象項目名】００２２
【補正方法】変更
【補正の内容】
【００２２】
請求項３の発明は請求項１又は２の発明において、前記第２群は、３枚の負レンズと、１枚の正レンズの４つの単レンズより成っていることを特徴としている。
【手続補正５】
【補正対象書類名】明細書
【補正対象項目名】００２３
【補正方法】変更
【補正の内容】
【００２３】
請求項４の発明は請求項１又は２の発明において、前記第２群は、１以上の接合レンズを有することを特徴としている。
【手続補正６】
【補正対象書類名】明細書
【補正対象項目名】００２４
【補正方法】変更
【補正の内容】
【００２４】
請求項５の発明は請求項１から４のいずれか１項の発明において、前記第３群は両面が非球面の正レンズを１枚以上有することを特徴としている。
【手続補正７】
【補正対象書類名】明細書
【補正対象項目名】００２５
【補正方法】変更
【補正の内容】
【００２５】
請求項６の発明は請求項１から５のいずれか１項の発明において、広角端及び望遠端における全系の焦点距離をそれぞれｆｗ，ｆｔ、前記第ｉ群の焦点距離をｆｉとするとき、
０．１ ＜ ｜ｆ２／ｆＡ｜ ＜ ０．２６
ただし、
【数４】
2002182109.tif 000004
なる条件式を満足することを特徴としている。
【手続補正８】
【補正対象書類名】明細書
【補正対象項目名】００２６
【補正方法】変更
【補正の内容】
【００２６】
請求項７の発明は請求項１から６のいずれか１項の発明において、広角端及び望遠端における全系の焦点距離をそれぞれｆｗ，ｆｔ、前記第ｉ群の焦点距離をｆｉとするとき、
１．７２ ＜ ｆ１／ｆＡ ＜ １．７７
ただし、
【数５】
2002182109.tif 000005
なる条件式を満足することを特徴としている。
【手続補正９】
【補正対象書類名】明細書
【補正対象項目名】００２７
【補正方法】変更
【補正の内容】
【００２７】
請求項８の発明は請求項１から７のいずれか１項の発明において、広角端及び望遠端における全系の焦点距離をそれぞれｆｗ，ｆｔ、前記第ｉ群の焦点距離をｆｉとするとき、
０．９ ＜ ｆ３／ｆＡ ＜ １．３
ただし、
【数６】
2002182109.tif 000006
なる条件式を満足することを特徴としている。
【手続補正１０】
【補正対象書類名】明細書
【補正対象項目名】００２８
【補正方法】変更
【補正の内容】
【００２８】
請求項９の発明は請求項１から８のいずれか１項の発明において、前記第３群の全体または一部のレンズを光軸方向に略垂直に移動させて、被写体像の像面移動を補正することを特徴としている。
【手続補正１１】
【補正対象書類名】明細書
【補正対象項目名】００２９
【補正方法】変更
【補正の内容】
【００２９】
請求項１０の発明は請求項１の発明において、前記第２群は、物体側より順に像面側に凹面を向けたメニスカス状の負レンズ、両レンズ面が凹面の負レンズ、両レンズ面が凸面の正レンズ、両レンズ面が凹面の負レンズの４つの単レンズより成ることを特徴としている。
【手続補正１２】
【補正対象書類名】明細書
【補正対象項目名】００３０
【補正方法】変更
【補正の内容】
【００３０】
請求項１１の発明は請求項１の発明において、第３群は、物体側より順に両レンズ面が凸面の正レンズと物体側に凸面を向けたメニスカス状の負レンズより構成し、該正レンズの両レンズ面は非球面であり、該非球面のうち、少なくとも１つはレンズ中心からレンズ周辺にいくに従って正の屈折力が弱くなる形状より成ることを特徴としている。
【手続補正１３】
【補正対象書類名】明細書
【補正対象項目名】００３１
【補正方法】変更
【補正の内容】
【００３１】
請求項１２の発明の光学機器は請求項１から１１いずれか１項に記載のズームレンズを有することを特徴としている。
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】